(57)【要約】【課題】簡単に取り付けられ、容易に取り外すことができないようにすることで、盗難を思い留まらせることができる表札を提供する。【解決手段】表示面を有する表示板２ａおよび表示板２ａの裏面に設けられた接続板２ｂとで構成された表札本体２と、表札本体２が取り付けられるベース部３とを備えた表札１において、表札本体２の接続板２ｂの裏面に第１嵌合部５が設けられると共に、ベース部３に第２嵌合部６が設けられている。第１嵌合部５には、２つの直線状の上側第１突状部５１および下側第１突状部５２とが離間して立設され、上側第１突状部５１の先端部に沿って円柱部５１ａが設けられている。また、第２嵌合部６には、上側第１突状部５１および下側第１突状部５２それぞれの内側に嵌合する２つの直線状の上側第２突状部６１および下側第２突状部６２が立設されている。上側第２突状部６１には円柱部５１ａの周面に嵌合する凹部６１ａｘが形成されている。【選択図】図４
2009009063.tif 000002
【特許請求の範囲】
【請求項１】
表示面を有する表札本体と、前記表札本体が取り付けられるベース部とを備えた表札において、
前記ベース部、または前記表札本体のいずれか一方を第１基体として裏面に第１嵌合部が設けられると共に、他方を第２基体として前記表札本体に対向する面に第２嵌合部が設けられ、
前記第１嵌合部は、２つの直線状の第１突状部が離間して立設され、前記２つの第１突状部のうち一方の先端部に沿って円柱部が設けられたものであり、
前記第２嵌合部は、前記２つの第１突状部のそれぞれの内側に嵌合する２つの直線状の第２突状部が立設され、前記２つの第２突状部のうち一方に前記円柱部の周面に嵌合する凹部が形成されたものであることを特徴とする表札。
【請求項２】
前記凹部には、溝幅を狭める凸部が形成されている請求項１記載の表札。
【請求項３】
前記第１嵌合部または第２嵌合部は、前記表札本体側とした方の長さが前記ベース部側とした方の長さより長く形成されている請求項１または２記載の表札。
【発明の詳細な説明】
【技術分野】
【０００１】
本発明は、取り付けと、取り外しとが可能な表札に関する。
【背景技術】
【０００２】
表札は、集合住宅や一戸建て住宅において、各住居ごとに設けられる。表札は、チェーンなどで吊り下げるタイプもあるが、石材や金属などの厚みがあるプレートを玄関や門扉の傍らに、後部分を埋め込むようにして設置されるタイプもある。一戸建て住宅や分譲マンションなどでは、住居者が度々変わることが余りないため、この埋め込みタイプの表札を用いても問題はない。
しかし、賃貸マンションやアパートでは、頻繁に住居者が変わるので、その度に表札を付け替える必要があり、埋め込みタイプの表札では交換が困難である。従って、表札が簡単に取り替えられると利便性が高い。このような脱着可能な表札として、例えば、特許文献１および２に記載されたものがある。
【０００３】
特許文献１には、裏側に固着した裏板に嵌合用の円形状の突輪を設けた表札主体板と、この突輪に圧入嵌合するために、円形状に配置した数個の弾性支持爪を前面に形成した取付板とを備えた表札が記載されている。
【０００４】
また、特許文献２には、表札が取り付けられる表札取付け用プレートの後面に、一定厚みを有するスペーサ部材を介して横長長方形状の支持プレートを固着し、この支持プレートをパネルにおける表札配設凹部内に挿入して、スペーサ部材の下端面と支持プレートおよび表札取付け用プレートの下端部対向面間によって形成される係合溝に表札配設凹部の下端壁部を挿嵌させることにより固定する表札装着用台板が記載されている。
【０００５】
【特許文献１】実公昭３９−１８２５８号公報
【特許文献２】特開２００６−１６２８４５号公報
【発明の開示】
【発明が解決しようとする課題】
【０００６】
このような脱着可能な表札は、住居者が変わる度に付け替えられるので対応が容易だが、余りにも簡単に、壁面から氏名等が表示された表札本体が取り外せてしまうと、悪意のある者が表札本体を持ち去ってしまうおそれがある。従って、表札本体が外れにくければ、取り外すのに時間を要してしまい、盗難を思い留まらせることができる。
【０００７】
特許文献１に記載の表札は、支持爪の先部を中心に向かって湾曲させて対向するそれぞれの支持爪同士の間隔を狭くすることで、突輪との嵌合の度合いを高め、簡単に表札本体である主体板が取付板から外れないようにすることができる。しかし、対向する支持爪同士の間隔を狭くして嵌合の度合いを高めると嵌め難くなるので、嵌め合わせる際に主体板が取付板に対して少しでもずれてしまえば、主体板を取付板に嵌めることができない。例えば、突輪の下側部分を支持爪に引っ掛けた状態で、突輪の上側部分を支持爪に押し込みながら嵌め込むことも想定される。しかし、突輪は円形状に形成され、支持爪も円形状に配置されているため、突輪の下側部分と支持爪とは点で接した状態なので不安定である。従って、取付者が突輪の上側部分を支持爪に押し込むときに、突輪の上側部分がずれてしまうと、やはり突輪を支持爪に嵌め込むことができない。
【０００８】
特許文献２に記載の表札装着用台板では、表札を把持して上方へ移動させ、表札の下端を取り出した後、表札全体を斜め下方へ移動させることで、簡単に表札をパネルから取り外せてしまう。表札が移動できる範囲を狭くすると、表札が取り付けられない事態となる。
【０００９】
そこで本発明は、簡単に取り付けられ、容易に取り外すことができないようにすることで、盗難を思い留まらせることができる表札を提供することを目的とする。
【課題を解決するための手段】
【００１０】
本発明の表札は、表示面を有する表札本体と、前記表札本体が取り付けられるベース部とを備えた表札において、前記ベース部、または前記表札本体のいずれか一方を第１基体として裏面に第１嵌合部が設けられると共に、他方を第２基体として前記表札本体に対向する面に第２嵌合部が設けられ、前記第１嵌合部は、２つの直線状の第１突状部が離間して立設され、前記２つの第１突状部のうち一方の先端部に沿って円柱部が設けられたものであり、前記第２嵌合部は、前記２つの第１突状部のそれぞれの内側に嵌合する２つの直線状の第２突状部が立設され、前記２つの第２突状部のうち一方に前記円柱部の周面に嵌合する凹部が形成されたものであることを特徴とする。
【００１１】
本発明の表札は、玄関や門扉の傍らに予め取り付けあるベース部から、氏名などが表示された表示面を有する表札本体を外して取り替えることで、住居者が変わっても容易に表示を変更することができるものである。この表札本体をベース部に取り付けるときには、まず第２嵌合部の一方の第２突状部に形成された凹部に、第１嵌合部の一方の第１突状部に設けられた円柱部を引っ掛けるように当接して、第１基体と第２基体との位置決めする。次に、凹部に引っ掛けた円柱部を中心として表札本体を回動することで凹部の内側面を円柱部の周面に沿って摺動させて、他方の第２突状部を他方の第１突状部まで移動させる。そして表札本体の表面を押圧することで、他方の第２突状部を他方の第１突状部の内側に押し込む。そうすることで、第２嵌合部を第１嵌合部の内側に、圧入嵌合させることができる。従って、一方の第２突状部の凹部が一方の第１突状部の円柱部に嵌合した状態で、他方の第２突状部が他方の第１突状部の内側に嵌め込まれているので、容易には取り外すことができない。
【００１２】
前記凹部には、溝幅を狭める凸部が形成されているのが望ましい。第１嵌合部と第２嵌合部とを圧入嵌合させた場合でも、第１突状部と第２突状部とは直線状に形成されているので、第１嵌合部と第２嵌合部とを摺動させるように、表札本体をベース部に対してスライドさせると、２つの第１突状部同士の間隔が狭く、第２突状部との嵌合の度合いが高くても表札本体がベース部から取り外せてしまう。凹部に凸部が形成されていると、凹部の溝幅が部分的に狭くなるので、表札本体をスライドさせることでベース部から取り外せてしまうことを抑止することができる。
【００１３】
前記第１嵌合部または第２嵌合部は、前記表札本体側とした方の長さが前記ベース部側とした方の長さより長く形成されているのが望ましい。表札本体側とした方の長さのレール部を、前記ベース部側とした方のレール部より、長さを長く形成することで、取り付ける際に、多少表札本体が、ベース部に対してずれていても、第２嵌合部を第１嵌合部に嵌合させることができる。
【発明の効果】
【００１４】
本発明は、一方の第２突状部の凹部が一方の第１突状部の円柱部に嵌合した状態で、他方の第２突状部が他方の第１突状部の内側に嵌め込まれることにより、容易には取り外すことができないので、盗難を思い留まらせることができる。
【発明を実施するための最良の形態】
【００１５】
本発明の実施の形態に係る表札を図面に基づいて説明する。図１は、本発明の実施の形態に係る表札を示す斜視図である。図２は、図１に示す表札の側面図である。図３は、図１に示す表札の平面図である。
図１から図３に示すように、表札１は、表面が氏名などの表示面となる表札本体２と、壁や門扉に取り付け固定されるベース部３とを備えている。ベース部３は、ねじ４，４により壁面や門扉などに固定される。
【００１６】
表札本体２は、表面が表示面となる表示板２ａと、表示板２ａの裏面に設けられた接続板２ｂとを備えている。この表示板２ａと接続板２ｂとは別々に離れないように接着剤などで強固に接着されている。本実施の形態では、表札本体２を表示板２ａと接続板２ｂとを別体として形成しているが、一体的に形成してもよい。
【００１７】
表示板２ａは、矩形状のステンレス板で形成され、表面に石材風な装飾が施されている。表示板２ａは、ステンレス板とする以外に、プレート状の石材、木製、樹脂製とすることができる。接続板２ｂは、表示板２ａより小型の矩形状のアルミ板で形成されている。この接続板２ｂを第１基体として裏面に、上側第１突状部５１および下側第１突状部５２が第１嵌合部５としてそれぞれ直線状に形成され、かつ平行となるように離間して立設されている。上側第１突状部５１には、先端に沿って円柱部５１ａが設けられている。
【００１８】
ベース部３は、矩形状のアルミ板で形成されている。本実施の形態では、ベース部３を板状部材としているが、取り付けられる状態に応じて、適宜、形状を変更してもよい。このベース部３を第２基体として表面に、上側第２突状部６１と下側第２突状部６２とが第２嵌合部６としてそれぞれ直線状に形成され、かつ平行となるように立設されている。この上側第２突状部６１と下側第２突状部６２とは、上側第１突状部５１と下側第１突状部５２とのそれぞれの内側面に嵌合するように離間して配置されている。
【００１９】
上側第２突状部６１は、基端が先端より厚く形成された湾曲部６１ａと、補強のために下側第２突状部６２に向かって突出する上側補強部６１ｂにより形成されている。
【００２０】
湾曲部６１ａには、断面半円状の凹部６１ａｘが開口を上方に向けた溝のように形成されている。この凹部６１ａｘには、上側第２突状部６１の先端部が押し潰されることで、凹部６１ａｘの溝幅を狭くする凸部６１ａｙが設けられている。この凸部６１ａｙは、金属板などで上側第２突状部６１の先端部を押圧することで簡単に形成することができる。
【００２１】
下側第２突状部６２は、中腹部がやや薄く形成された板状部６２ａと、補強のために上側第１突状部５１に向かって突出する下側補強部６２ｂにより形成されている。
【００２２】
以上のように構成された本発明の実施の形態に係る表札１の使用状態について、図面に基づいて説明する。図４および図５は、図１に示す表札の表札本体をベース部に取り付ける方法を説明するための図である。
【００２３】
まず、表札本体２の表示板２ａを把持し、上側第１突状部５１の円柱部５１ａを、ベース部３の上側第２突状部６１に形成された凹部６１ａｘに引っ掛けるようにして当接して、表札本体２をベース部３に対して位置決めする。上側第１突状部５１と上側第２突状部６１とは直線状に形成されているので、容易に引っ掛けることができる。また、点でなく線で当接させることができるので、引っ掛けた後も安定する。
【００２４】
次に、凹部６１ａｘに引っ掛けた円柱部５１ａを中心として、表示本体２の下端を回動させる。上側第２突状部６１の凹部６１ａｘの内側面は円弧面に形成されているため円柱部５１ａをスムーズになんら抵抗を受けることなく凹部６１ａｘに摺動させることができる。下側第１突状部５２を下側第２突状部６２の位置まで回動させたら、表示板２ａの下部を押圧する。そうすることで、下側第１突状部５２は上側第１突状部５１との間隔が広がるように撓み、下側第２突状部６２は上側第２突状部６１との間隔が狭くなるように撓むことで、下側第１突状部５２が下側第２突状部６２の外側に押し込まれる。
【００２５】
表示板２ａの下部を押圧しても、円柱部５１ａが凹部６１ａｘに保持された状態なので、上側第１突状部５１が上側第２突状部６１から外れることはない。
【００２６】
上側第１突状部５１の円柱部５１ａが上側第２突状部６１の凹部６１ａｘに保持された状態で、下側第１突状部５２を下側第２突状部６２の外側に押し込むことにより、上側第１突状部５１および上側第２突状部６１の間と、下側第１突状部５２および下側第２突状部６２との間に、それぞれ大きな隙間がなくても嵌め込むことができる。従って、表札本体２側の第１嵌合部５と、ベース部３側の第２嵌合部６とを、しっかりと嵌合させることができるので、表札本体２をベース部３から簡単に外れることが抑止できる。
【００２７】
上側第１突状部５１および下側第１突状部５２は、上側第２突状部６１および下側第２突状部６２より長く形成されているため、表札本体２がベース部３に対して左右方向に多少ずれたとしても、表札本体２側の第１嵌合部５を、ベース部３側の第２嵌合部６全体に嵌め込むことができる。
【００２８】
表札本体２を取り外す場合には、接続板２ｂとベース部３との間にマイナスドライバーや金属製の板状部材を挿入して、表札本体２を押し上げるようにする。この場合、接続板２ｂの下部を押し上げるようにすることで、下側第１突状部５２は上側第１突状部５１との間隔が広がるように撓み、下側第２突状部６２は上側第２突状部６１との間隔が狭くなるように撓むことで、第１嵌合部５と第２嵌合部６との嵌合を解除することができる。
【００２９】
第１嵌合部５と第２嵌合部６とは、それぞれ平行した２本のレール状に形成されているので、表札本体２がベース部３に対して上下方向や前後方向にずれないとしても、表札本体２を左右方向のいずれかにスライドさせることで、表札本体２がベース部３から外れてしまうことが心配される。しかし、本実施の形態に係る表札１は、凹部６１ａｘには溝幅を狭くするように凸部６１ａｙが設けられているので、この凸部６１ａｙが表札本体２をスライドさせることで円柱部５１ａが凹部６１ａｘの溝方向に沿って移動してしまうことを抑止する。従って、表札本体２をベース部３から取り外し難くすることができる。
【００３０】
なお、本実施の形態では、上側第１突状部５１および下側第１突状部５２が表札１の上側に、上側第２突状部６１および下側第２突状部６２が表札１の下側に、それぞれ位置して嵌合しているが、この上下関係は逆でもよい。例えば、上から重量物が落下して表札１の上端に当たったとする。しかし、上側第１突状部５１の円柱部５１ａが上側第２突状部６１の凹部６１ａｘに保持されていることにより、表札本体２は上側から外れることないので、図１から図４に示すように、上側第１突状部５１および下側第１突状部５２が上側、上側第２突状部６１および下側第２突状部６２が下側とするのが望ましい。
【００３１】
以上、本発明の実施の形態について説明してきたが、本発明は前記実施の形態に限定されるものではない。本実施の形態では、表札本体２を第１基体としベース部３を第２基体としているが、表札本体２を第２基体としベース部３を第１基体として、第２嵌合部６が表札本体２に、第１嵌合部５がベース部３に設けるようにしてもよい。
【００３２】
また、第１嵌合部５は接続板２ｂに、第２嵌合部６はベース部３に、それぞれ水平に配置されているが、垂直でも斜めの状態で配置されていてもよい。また、第１嵌合部５および第２嵌合部６はそれぞれ平行となるように形成されているが、徐々に狭くなるように形成されていてもよい。しかし、表示本体２をスライドさせると簡単に外れるおそれがあるので、第１嵌合部５および第２嵌合部６は平行とするのが望ましい。
【産業上の利用可能性】
【００３３】
本発明の表札は、アパート、マンションや一戸建て住宅に好適であり、特に賃貸住宅には最適である。
【図面の簡単な説明】
【００３４】
【図１】本発明の実施の形態に係る表札を示す斜視図である。
【図２】図１に示す表札の側面図である。
【図３】図１に示す表札の平面図である。
【図４】図１に示す表札の表札本体をベース部に取り付ける方法を説明するための図である。
【図５】図１に示す表札の表札本体をベース部に取り付ける方法を説明するための図である。
【符号の説明】
【００３５】
１  表札
２  表札本体
２ａ  表示板
２ｂ  接続板
３  ベース部
４  ねじ
５  第１嵌合部
５１  上側第１突状部
５１ａ  円柱部
５２  下側第１突状部
６  第２嵌合部
６１  上側第２突状部
６１ａ  湾曲部
６１ａｘ  凹部
６１ａｙ  凸部
６１ｂ  上側補強部
６２  下側第２突状部
６２ａ  板状部
６２ｂ  下側補強部
【図１】
2009009063.tif 000003
【図２】
2009009063.tif 000004
【図３】
2009009063.tif 000005
【図４】
2009009063.tif 000006
【図５】
2009009063.tif 000007